(57)【要約】  本発明の実施形態にかかるポインティングデバイスを備えた端末装置の画面制御方法によれば、画面に表示された特定の機能を選択するためのユーザの指の押し動作を感知する。この時、押し動作が一時的かまたは既定の時間の間持続するかを判断する。押し動作が一時的な場合、イージークリック（Ｅａｓｙ  Ｃｌｉｃｋ）動作と判断して、カーソルまたはポインタが位置する領域にリンクされた機能を画面上に実現する。また、押し動作が既定の時間の間持続する場合、イージープレス（Ｅａｓｙ  Ｐｒｅｓｓ）動作と判断して、予め設定された制御機能を画面上に実現する。
2012507777.tif 000002
【特許請求の範囲】
【請求項１】
ユーザの指の動きによって画面上のカーソル（または、ポインタ）を生成および移動させるポインティングデバイスを備えた端末装置の画面制御方法において、
前記画面に表示された特定の機能を選択するためのユーザの指の押し動作を感知するステップと、
前記押し動作が一時的かまたは既定の時間の間持続するかを判断するステップと、
前記押し動作が一時的な場合、イージークリック（Ｅａｓｙ  Ｃｌｉｃｋ）動作と判断して、前記カーソルまたはポインタが位置する領域にリンクされた機能を画面上に実現するステップと、
前記押し動作が既定の時間の間持続する場合、イージープレス（Ｅａｓｙ  Ｐｒｅｓｓ）動作と判断して、予め設定された制御機能を前記画面上に実現するステップとを含むことを特徴とする画面制御方法。
【請求項２】
前記予め設定された制御機能を前記画面上に実現するステップは、
現在活性化されているサービス画面のカテゴリーに対応する複数の追加メニュー項目の出力、または前記サービス画面のモード切り替えを含むことを特徴とする請求項１に記載の画面制御方法。
【請求項３】
前記追加メニュー項目は、
ユーザがよく使用する１つ以上のメニューを含むお気に入りメニューを含むことを特徴とする請求項２に記載の画面制御方法。
【請求項４】
前記追加メニュー項目は、
上下にスクロール（ｓｃｒｏｌｌ）して選択可能な１つ以上のメニュー項目、および左右にスウィーピングして選択可能な１つ以上のメニュー項目を含むことを特徴とする請求項２に記載の画面制御方法。
【請求項５】
前記予め設定された制御機能を前記画面上に実現するステップは、
画面に表示された現在活性化されているサービスを制御するための１つ以上のメニュー項目を隠し状態に切り替え、カーソルまたはポインタが近づくと、隠されたメニュー項目を画面に表すことを特徴とする請求項２に記載の画面制御方法。
【請求項６】
前記感知するステップは、
ユーザの指の接触が感知された場合、前記押し動作を感知し、
前記判断するステップは、
前記ユーザの指が接触した時間を測定するステップと、
前記接触した時間が既定の時間閾値以上であるか否かを判断するステップとを含み、
前記接触した時間が前記時間閾値以上の場合、前記押し動作が持続的なものと認識して、前記イージープレス（Ｅａｓｙ  Ｐｒｅｓｓ）動作と判断し、前記接触した時間が前記時間閾値未満の場合、前記押し動作が一時的なものと認識して、前記イージークリック（Ｅａｓｙ  Ｃｌｉｃｋ）動作と判断することを特徴とする請求項１〜５のいずれか一項に記載の画面制御方法。
【請求項７】
前記感知するステップは、
前記ポインティングデバイスがユーザの指に反射する光を集め、集められた光量が既定の光量閾値を超えた場合、前記押し動作を感知し、
前記判断するステップは、
前記光量閾値を超えた時点から既定の閾時間の間に光量が減少するかを判断し、
前記光量閾値を超えた時点から前記既定の閾時間の間に前記光量が減少すると、前記押し動作が一時的なものと認識して、前記イージークリック（Ｅａｓｙ  Ｃｌｉｃｋ）動作と判断し、前記光量閾値を超えた時点から前記既定の閾時間にいたるまで前記光量が一定であるか、または増加すると、前記押し動作が持続的なものと認識して、前記イージープレス（Ｅａｓｙ  Ｐｒｅｓｓ）動作と判断することを特徴とする請求項１〜５のいずれか一項に記載の画面制御方法。
【請求項８】
画面上にカーソルまたはポインタを表示し、端末装置の動作に応じた情報を前記画面上に出力するディスプレイ部と、
ユーザの指の動きによって画面上のカーソル（または、ポインタ）を生成および移動させるポインティングデバイスと、
前記ポインティングデバイスを介して画面に表示された機能を選択するためのユーザの指の押し動作を感知して、前記押し動作が一時的かまたは既定の時間の間持続するかを判断し、前記押し動作が一時的な場合、イージークリック（Ｅａｓｙ  Ｃｌｉｃｋ）動作と判断して、前記カーソルまたはポインタが位置する領域にリンクされた機能を画面上に実現し、前記押し動作が既定の時間の間持続する場合、イージープレス（Ｅａｓｙ  Ｐｒｅｓｓ）動作と判断して、予め設定された制御機能を前記画面上に実現するように前記ディスプレイ部を制御する制御部とを含むことを特徴とするポインティングデバイスを備えた端末装置。
【請求項９】
前記ポインティングデバイスは、
ユーザの指の物理的接触が感知されると、接触感知信号を生成して出力し、
前記制御部は、
前記接触感知信号が受信された場合、接触時間を測定して、前記接触時間が既定の閾値以上の場合、前記押し動作が既定の時間の間持続するものと認識して、イージープレス（Ｅａｓｙ  Ｐｒｅｓｓ）動作と判断し、前記既定の閾値未満の場合、前記押し動作が一時的なものと認識して、イージークリック（Ｅａｓｙ  Ｃｌｉｃｋ）動作と判断することを特徴とする請求項８に記載のポインティングデバイスを備えた端末装置。
【請求項１０】
前記ポインティングデバイスは、
前記ユーザの指に反射する光を集めて光感知信号を出力し、
前記制御部は、
前記光感知信号が伝達された場合、光量を測定して、前記光量が既定の光量閾値を超えた時点から既定の閾時間の間に減少すると、前記押し動作が一時的なものと認識して、前記イージークリック（Ｅａｓｙ  Ｃｌｉｃｋ）動作と判断し、前記光量が光量閾値を超えた時点から既定の閾時間にいたるまで一定であるか、または増加すると、前記押し動作が既定の時間の間持続するものと認識して、イージープレス（Ｅａｓｙ  Ｐｒｅｓｓ）動作と判断することを特徴とする請求項８に記載のポインティングデバイスを備えた端末装置。
【請求項１１】
前記制御部は、
前記イージープレス（Ｅａｓｙ  Ｐｒｅｓｓ）動作と判断した場合、現在活性化されているサービス画面のカテゴリーに対応する複数の追加メニュー項目を出力するか、または前記サービス画面のモードを切り替えることを特徴とする請求項８〜１０のいずれか一項に記載のポインティングデバイスを備えた端末装置。
【請求項１２】
前記制御部は、
ユーザの設定したよく使用する１つ以上のメニューに基づいてお気に入りメニューを構成し、前記イージープレス（Ｅａｓｙ  Ｐｒｅｓｓ）動作と判断した場合、前記お気に入りメニューを画面上に出力することを特徴とする請求項１１に記載のポインティングデバイスを備えた端末装置。
【請求項１３】
前記制御部は、
前記イージープレス（Ｅａｓｙ  Ｐｒｅｓｓ）動作と判断した場合、上下にスクロール（ｓｃｒｏｌｌ）して選択可能な１つ以上のメニュー項目、および左右にスウィーピングして選択可能な１つ以上のメニュー項目を画面上に出力することを特徴とする請求項１１に記載のポインティングデバイスを備えた端末装置。
【請求項１４】
前記制御部は、
画面に表示された現在活性化されているサービスを制御するための１つ以上のメニュー項目を隠し状態に切り替え、カーソルまたはポインタが近づくと、隠されたメニュー項目を画面に表すことを特徴とする請求項１１に記載のポインティングデバイスを備えた端末装置。
【発明の詳細な説明】
【技術分野】
【０００１】
本発明は、ポインティングデバイスを備えた端末装置および画面制御方法に関する。より詳細には、画面上のカーソルまたはポインタをユーザの指の動きによって移動させることにより、画面を制御する、ポインティングデバイスを備えた端末装置およびそのポインティングデバイスを用いて画面を制御する方法に関する。
【背景技術】
【０００２】
一般的に、電子通信技術の発展により多様な電子機器が作られており、これらの機器は、次第にユーザの操作の便宜性とともに、デザインの美しさを強調する傾向にある。このような傾向に伴って強調されるのは、キーボードあるいはキーパッドに代表されていた入力装置の多様化である。
【０００３】
また、携帯用電子機器の多様な機能が１つの機器に集積化されるに伴い、携帯用電子機器の作動モードに応じて、これを利用するための多様なメニューの設定が要求されている。例えば、通信モードでは、相手の電話番号や転送しようとするファイルの検索および選択、マルチメディアモードでは、マルチメディアファイルの探索、再生／停止、一時停止などの操作、無線インターネット接続、カメラモードなどでは、マウス機能やズーム機能などが要求される。また、携帯用電子機器自体の基本設定やメニュー呼出などのための機能が要求される。
【０００４】
しかも、最近、３．５世代移動通信であるＨＳＤＰＡ（Ｈｉｇｈ  Ｓｐｅｅｄ  Ｄｏｗｎｌｉｎｋ  Ｐａｃｋｅｔ  Ａｃｃｅｓｓ）や携帯インターネットワイブロ（ＷｉＢｒｏ）などの超高速移動通信技術が商用化されるにつれ、フルブラウジング（ｆｕｌｌ  ｂｒｏｗｓｉｎｇ）への関心が高まるようになった。ＰＣ（Ｐｅｒｓｏｎａｌ  Ｃｏｍｐｕｔｅｒ）用ウェブページを携帯電話端末などに表示することはできるが、携帯電話端末などの小さい画面にＰＣ用インターネット画面をそのまま実現することは容易でない。特に、このようなインターネット画面を制御することはなおさら容易でない。
【０００５】
しかし、従来では、必要な機能を選択するために、上位メニュー、下位メニューを行き来しながら、複数回にわたるメニューの検索および選択過程を経なければならないため、操作の効率性が低下するという問題があった。特に、フルブラウジング画面では、従来のメニュー選択方式を適用する場合に画面の制御が非常に不便であった。
【０００６】
一方、従来のタッチスクリーンを用いた携帯端末では、ユーザが単に携帯端末の画面にディスプレイされたメニューまたはアイコンを指で直接タッチすることにより、メニューまたはアイコンに関する機能を選択することはできるが、ユーザの多様な動作に応じたユーザインタフェース環境を提供することができないという問題があった。
【発明の概要】
【発明が解決しようとする課題】
【０００７】
本発明が解決しようとする技術的課題は、ユーザの指の動きが停止した状態で効率的に画面を制御することができるユーザインタフェースを有する、ポインティングデバイスを備えた端末装置および画面制御方法を提供することである。
【課題を解決するための手段】
【０００８】
本発明の一実施形態によれば、画面制御方法が提供される。この方法は、ユーザの指の動きによって画面上のカーソル（または、ポインタ）を生成および移動させるポインティングデバイスを備える端末装置の画面制御方法において、前記画面に表示された特定の機能を選択するためのユーザの指の押し動作を感知するステップと、前記押し動作が一時的かまたは既定の時間の間持続するかを判断するステップと、前記押し動作が一時的な場合、イージークリック（Ｅａｓｙ  Ｃｌｉｃｋ）動作と判断して、前記カーソルまたはポインタが位置する領域にリンクされた機能を画面上に実現するステップと、前記押し動作が既定の時間の間持続する場合、イージープレス（Ｅａｓｙ  Ｐｒｅｓｓ）動作と判断して、予め設定された制御機能を前記画面上に実現するステップとを含む。
【０００９】
本発明の他の実施形態によれば、ポインティングデバイスを備えた端末装置が提供される。この装置は、画面上にカーソルまたはポインタを表示し、端末装置の動作に応じた情報を前記画面上に出力するディスプレイ部と、ユーザの指の動きによって画面上のカーソル（または、ポインタ）を生成および移動させるポインティングデバイスと、前記ポインティングデバイスを介して画面に表示された機能を選択するためのユーザの指の押し動作を感知して、前記押し動作が一時的なのかまたは既定の時間の間持続するかを判断し、前記押し動作が一時的な場合、イージークリック（Ｅａｓｙ  Ｃｌｉｃｋ）動作と判断して、前記カーソルまたはポインタが位置する領域にリンクされた機能を画面上に実現し、前記押し動作が既定の時間の間持続する場合、イージープレス（Ｅａｓｙ  Ｐｒｅｓｓ）動作と判断して、予め設定された制御機能を前記画面上に実現するように前記ディスプレイ部を制御する制御部とを含む。
【発明の効果】
【００１０】
本発明は、ポインティングデバイスを用いた単純な動作により、ユーザが利用しようとする機能のメニュー項目の検索が迅速かつ便利に行われるという効果を奏する。
【図面の簡単な説明】
【００１１】
【図１】本発明の実施形態にかかるポインティングデバイスが適用された端末装置の外部構成を示す図である（同図中における「YouTube」、「Facebook」、「MySpace」、「Cyworld」は登録商標である）。
【図２】本発明の一実施形態にかかる端末装置の細部構成を示すブロック図である。
【図３】本発明の実施形態にかかるイージープレスとイージークリックを説明するためのグラフである。
【図４】本発明の一実施形態にかかる画面制御方法を示すフローチャートである。
【図５】本発明の他の実施形態にかかる画面制御方法を示すフローチャートである。
【図６】本発明の実施形態にかかるイージープレスによる画面制御方法を示すフローチャートである。
【図７】本発明の実施形態にかかるフルブラウジングサービスの実行中にイージープレスが動作する初期画面を示す図である（同図中における「YouTube」、「Google」は登録商標である。また、同図中におけるハングルで記載された文字（英語で「Textcube」）も登録商標である）。
【図８】本発明の実施形態にかかるフルブラウジングサービスの実行中にイージープレスが動作して、ポップアップメニューが現れた画面を示す図である（同図中における「Google」、「YouTube」は登録商標である）。
【図９】本発明の実施形態にかかるＶＯＤサービスの実行中にイージープレスが動作して、モード切り替えが実行された画面を示す図である。
【発明を実施するための形態】
【００１２】
以下、添付した図面を参考にして、本発明の実施形態について、本発明の属する技術分野における通常の知識を有する者が容易に実施できるように詳細に説明する。但し、本発明は、様々な異なる形態で実現可能であり、ここで説明する実施形態に限定されない。そして、図面において、本発明を明確に説明するために、説明において不要な部分は省略しており、明細書全体にわたって類似の部分については類似の図面のシーケンスを付した。
【００１３】
明細書の全体において、ある部分がある構成要素を「含む」とする時、これは、特に反対となる記載がない限り、他の構成要素を除外するのではなく、他の構成要素をさらに含むことができることを意味する。
【００１４】
以下、本発明の実施形態にかかるポインティングデバイスを備えた端末装置およびユーザインタフェース制御方法について、図面を参考にして詳細に説明する。
【００１５】
図１は、本発明の実施形態にかかるポインティングデバイスが適用された端末装置の外部構成を示す。
【００１６】
図１を参照すると、端末装置としては、携帯用端末１を示しているが、これに限定されるものではない。端末装置は、ディスプレイ部１００と、ポインティングデバイス２００とを含み、有線通信・無線通信が可能で、マルチメディアコンテンツの実行が可能なすべての電子機器を含むが、例えば、ノートパソコン、ＩＰＴＶを含むことができる。
【００１７】
ここで、ディスプレイ部１００は、携帯用端末１の上面に備えられ、現在商用化されているＬＣＤ（Ｌｉｑｕｉｄ  Ｃｒｙｓｔａｌ  Ｄｉｓｐｌａｙ）などが使用可能である。
【００１８】
ディスプレイ部１００は、画面上にカーソル（ｃｕｒｓｏｒ）またはポインタ（ｐｏｉｎｔｅｒ）１０１を表示し、携帯用端末１の動作に応じた情報を画面上に出力する。特に、ポインティングデバイス２００から入力されるユーザインタフェース（ＵＩ：Ｕｓｅｒ  Ｉｎｔｅｒｆａｃｅ）に該当する画面を外部に出力する。
【００１９】
ディスプレイ部１００は、携帯用端末１がフルブラウジング、ＶＯＤ（Ｖｉｄｅｏ  Ｏｎ  Ｄｅｍａｎｄ）、マップ（Ｍａｐ）、ＭＰ３再生、メールサービスなどを実現することによる画面を出力する。
【００２０】
ポインティングデバイス２００は、ディスプレイ部１００が出力する画面上のカーソル（または、ポインタ）を操作する、ＰＣのマウスの左ボタンの役割、つまり、画面に表示された機能を選択するための手段である。
【００２１】
ポインティングデバイス２００は、画面上のカーソル（または、ポインタ）を指の動きによって生成および移動させることにより、ＰＣにおけるポインティング技術を実現する。つまり、ポインティングデバイス２００上に指を当てた後、指を上下左右に動かすと、その方向に応じてカーソル（または、ポインタ）が動く。
【００２２】
ここで、ポインティングデバイス２００は、多様な技術が応用できるが、例えば、オプティカルジョイスティック（Ｏｐｔｉｃａｌ  Ｊｏｙｓｔｉｃｋ）が使用可能である。オプティカルジョイスティックとは、ＬＥＤ（Ｌｕｍｉｎｅｓｃｅｎｔ  Ｄｉｏｄｅ）２０１が発光する光を用いて、指の動き情報を光学系を介してセンサに送り、これを座標値に変換し、動いた変位だけ画面上に反映する技術である。オプティカルジョイスティックは、光学式マウスの原理を逆利用する。光学式マウスは、ＬＥＤを下に向けて配置するのに対し、オプティカルジョイスティックは、ＬＥＤ２０１を上に向けて指の動きを探知する。
【００２３】
もちろん、ポインティングデバイス２００は、このようなオプティカルジョイスティックのみならず、ホールセンサ、指紋認識センサ、および圧力センサを含む各種のポインティングデバイスとなり得る。
【００２４】
図２は、本発明の一実施形態にかかる端末装置の細部構成を示すブロック図である。
【００２５】
図２を参照すると、端末装置１は、ディスプレイ部１００と、ポインティングデバイス２００と、制御部３００と、メモリ４００とを含む。
【００２６】
ここで、ポインティングデバイス２００は、ユーザの指の物理的接触を感知したり、またはユーザの指に反射する光を感知することができ、それに基づき、制御部３００は異なる動作を行う。したがって、以下、実施形態を、ポインティングデバイス２００が物理的接触を感知する場合と、ユーザの指に反射する光を集める場合とに分けて、各構成要素の機能について説明する。
【００２７】
まず、一実施形態によれば、ポインティングデバイス２００は、ユーザの指の物理的接触が感知されると、接触感知信号を生成する。この時、ポインティングデバイス２００が物理的接触を感知する手段は、タッチパッドまたはドームスイッチ（ｄｏｏｍ  ｓｗｉｔｃｈ）を介して実現可能である。
【００２８】
制御部３００は、ポインティングデバイス２００から接触感知信号が伝達されると、ユーザの指の動きを読み取る。制御部３００は、ポインティングデバイス２００からの接触感知信号を受信すると、ユーザが特定の機能を選択するための押し動作と認識し、接触時間Ｔをカウントする。
【００２９】
ここで、押し動作とは、ユーザが機能を選択するために、指でポインティングデバイス２００を押す動作をいう。制御部３００は、押し動作に応じて該当する機能が実行されるように画面を制御し、決定された画面をディスプレイ部１００を介して出力する。
【００３０】
メモリ４００は、接触感知信号を読み取った結果に応じた有効なユーザインタフェースの動作およびそれによる画面制御情報を記憶し、制御部３００に提供する。
【００３１】
一方、他の実施形態によれば、ポインティングデバイス２００は、近づいたユーザの指に光を照射して、ユーザの指に反射する光が集められると、光感知信号を生成して出力する。
【００３２】
制御部３００は、ポインティングデバイス２００からの光感知信号を受信すると、集められた光の量、つまり、光量を計算する。
【００３３】
制御部３００は、光感知信号および光量を用いて、有効なユーザインタフェースの動作であるかを判断する。つまり、制御部３００は、計算した光量が既定の閾値以上の場合、ユーザが特定の機能を選択するための押し動作と認識する。そして、押し動作に応じて該当する機能が実行されるように画面を制御し、決定された画面をディスプレイ部１００を介して出力する。
【００３４】
メモリ４００は、光感知信号および光量を読み取った結果に応じた有効なユーザインタフェースの動作およびそれによる画面制御情報を記憶し、制御部３００に提供する。
【００３５】
前述したポインティングデバイス２００を用いたユーザインタフェースのうち、ユーザが特定の機能を選択するための押し動作は、イージープレス（Ｅａｓｙ  Ｐｒｅｓｓ）およびイージークリック（Ｅａｓｙ  Ｃｌｉｃｋ）を含む。
【００３６】
ここで、イージープレスは、現在実行中のサービス画面に対する画面制御機能を実現する。この時、画面制御機能は、端末の開発者によって予め定義される。
【００３７】
このような画面制御機能は、現在活性化されているモバイルサービスカテゴリーに合った複数の追加メニュー項目を含む。また、画面制御機能は、現在実行中のモバイルサービスカテゴリーの画面制御モードを切り替える機能を含む。
【００３８】
そして、イージークリックは、カーソル（または、ポインタ）が位置する地点にリンクされた機能を実行または選択する。例えば、ＰＣのマウスにおける「左ボタンクリック」と同様の機能を行う。
【００３９】
この時、イージークリックは押し動作が一時的な状態、イージープレスは押し動作が持続的な状態として区別される。
【００４０】
ここで、ポインティングデバイス２００がユーザの指の物理的接触を感知する場合の実施形態にかかるイージープレスとイージークリックについて説明すると、表１のとおりである。
【００４１】
【表１】
2012507777.tif 000003
【００４２】
表１に示すように、イージープレスは、活性化領域、非活性化領域を問わず、すべての領域で動作するが、イージークリックは、活性化領域で動作する。ここで、活性化領域とは、特定の機能がリンクされた地点または区間であって、テキスト、イメージ、動画が現れる領域を含むことができる。活性化領域は、該当領域にカーソル（または、ポインタ）が近づくとハイライト表示され、非活性化領域と区分される。
【００４３】
また、イージープレスは、接触時間Ｔが既定の時間閾値ｔ以上の場合に動作するのに対し、イージークリックは、接触時間Ｔが既定の時間閾値ｔ未満の場合に動作する。
【００４４】
ここで、接触時間Ｔおよび既定の時間閾値ｔは秒単位であって、例えば、既定の時間閾値ｔは「１秒」である。
【００４５】
一方、ポインティングデバイス２００がユーザの指に反射する光を感知する場合の実施形態にかかるイージープレスとイージークリックについて説明すると、表２のとおりである。
【００４６】
【表２】
2012507777.tif 000004
【００４７】
表２に示すように、イージープレスは、すべての領域で実現されるのに対し、イージークリックは、活性化領域に限定される。
【００４８】
また、イージープレスとイージークリックとは、光量および時間によって区別されるが、図３を参照して詳細に説明する。
【００４９】
図３は、本発明の実施形態にかかるイージープレスとイージークリックを説明するためのグラフである。
【００５０】
図３を参照すると、光量Ｌが既定の閾値Ｌ１を超えた場合、ユーザが特定の機能を選択するための押し動作と認識されて、イージークリックまたはイージープレス動作と判断される。
【００５１】
この時、光量Ｌが既定の光量閾値Ｌ１を超えた時点ｔ１から既定の閾時間ｔ２の間に光量が減少すると、押し動作が一時的な状態と認識されて、イージークリックＰ１と判断される。
【００５２】
そして、既定の閾時間ｔ２にいたるまで光量が持続的に増加するか、または一定であると、押し動作が持続する状態と認識されて、イージープレスＰ２と判断される。
【００５３】
ここで、超過時点ｔ１および既定の閾時間ｔ２は秒単位であって、例えば、既定の時間閾値ｔは「１秒」である。
【００５４】
図４〜図６を用いて、イージープレスおよびイージークリックの動作に応じた画面制御方法について説明する。
【００５５】
まず、図４は、本発明の一実施形態にかかる画面制御方法を示すフローチャートであり、図２のポインティングデバイス２００の動作に応じた画面制御方法を示す。
【００５６】
図４を参照すると、ポインティングデバイス２００がユーザの指の接触を感知（Ｓ１０１）すると、制御部３００は、接触が感知された時点から接触時間Ｔをカウントする（Ｓ１０３）。
【００５７】
制御部３００は、接触時間Ｔが既定の時間閾値ｔを超えているかを判断する（Ｓ１０５）。
【００５８】
この時、既定の時間閾値ｔを超えた場合、ユーザの指の接触が一定時間の間持続するものと認識して、イージープレス動作と判断する（Ｓ１０７）。したがって、制御部３００は、既定の画面制御機能を行う（Ｓ１０９）。
【００５９】
一方、既定の時間閾値ｔを超えていない場合、ユーザの指の接触が一時的な状態と認識して、イージークリック動作と判断する（Ｓ１１１）。したがって、制御部３００は、イージークリックが活性化された領域にリンクされた機能を実行する（Ｓ１１３）。
【００６０】
図５は、本発明の他の実施形態にかかる画面制御方法を示すフローチャートであり、図３のポインティングデバイス２００の動作に応じた画面制御方法を示す。
【００６１】
図５を参照すると、ポインティングデバイス２００が指に反射する光を集める（Ｓ２０１）と、制御部３００は、ポインティングデバイス２００が集めた光の量、つまり、光量を測定する（Ｓ２０３）。
【００６２】
制御部３００は、測定された光量Ｌが既定の光量閾値Ｌ１を超えているかを判断する（Ｓ２０５）。超えていない場合、ステップＳ２０１に戻る。
【００６３】
しかし、超えた場合、制御部３００は、測定された光量Ｌが既定の光量閾値Ｌ１を超えた時点ｔ１から既定の閾時間ｔ２の間に光量Ｌが減少するかを判断する（Ｓ２０７）。
【００６４】
光量が減少せずに、一定であるか、または増加する場合、制御部３００は、ユーザが指をポインティングデバイス２００に近づけて取った押し動作が持続する状態と認識して、イージープレス動作と判断する（Ｓ２０９）。すると、制御部３００は、既定の制御機能を行う（Ｓ２１１）。
【００６５】
しかし、光量が減少する場合、制御部３００は、ユーザが指をポインティングデバイス２００に近づけて取った押し動作が一時的な状態と認識して、イージークリック動作と判断する（Ｓ２１３）。すると、制御部３００は、イージークリックが活性化された領域にリンクされた機能を実行する（Ｓ２１５）。
【００６６】
図６は、本発明の実施形態にかかるイージープレスによる画面制御方法を示すフローチャートである。
【００６７】
この時、イージープレスにより提供される制御機能は、「追加メニュー項目」および「モード切り替え」を含むが、これに限定されるものではなく、多様な実施形態が可能である。
【００６８】
図６を参照すると、制御部３００がイージープレス動作と判断した場合、それに応じた動作制御を開始する（Ｓ３０１）。
【００６９】
制御部３００は、ディスプレイ部１００を介して出力された現在のユーザ画面モードを確認する（Ｓ３０３）。そして、現在のユーザ画面モードに設定された制御機能を確認する（Ｓ３０５）。
【００７０】
制御部３００は、ステップＳ３０５での確認結果、制御機能がメニューポップアップモードに設定されたか、またはモード切り替えに設定されたかを判断する（Ｓ３０７）。
【００７１】
メニューポップアップモードに設定された場合、現在のユーザ画面モードに付加的な機能選択のための追加メニュー項目をポップアップする（Ｓ３０９）。この時、追加メニュー項目は、ユーザが予め設定したお気に入り項目であってよい。このようなお気に入り項目は、携帯用端末１に実現された多数のメニュー項目のうち、よく使用するメニュー項目を含む。
【００７２】
ここで、ポップアップメニューは、フライングメニュー（Ｆｌｙｉｎｇ−Ｍｅｎｕ）またはローリングメニュー（Ｒｏｌｌｉｎｇ−Ｍｅｎｕ）を含む。ユーザは、追加メニュー項目を上下にスクロール（ｓｃｒｏｌｌ）してメニュー項目を選択することができる。
【００７３】
このような追加メニュー項目は、ズームモード項目、拡大モード項目、スクロールモード項目、ＭＭＳ（Ｍｕｌｔｉｍｅｄｉａ  Ｍｅｓｓａｇｉｎｇ  Ｓｅｒｖｉｃｅ）モード項目、およびダイナミックズームモード項目を含むことができる。
【００７４】
ズームモード項目は、指を左右にスウィーピング（ｓｗｅｅｐｉｎｇ）することでズームイン（ｚｏｏｍ−ｉｎ）／ズームアウト（ｚｏｏｍ−ｏｕｔ）機能を提供する。つまり、左にスウィーピングするとズームアウトになり、右にスウィーピングするとズームインになる。ここで、スウィーピングとは、指を滑らせるように左右に動かす動作を意味する。
【００７５】
拡大モード項目は、カーソル（または、ポインタ）が位置する地点の文字またはイメージを拡大する機能を提供する。
【００７６】
スクロールモード項目は、画面において特定の位置に移動する機能を提供する。つまり、ポインティングデバイス２００上において指を所望の方向に移動させると、その方向に対応する画面を出力する機能を提供する。
【００７７】
ＭＭＳモード項目は、動画、写真、音楽ファイルを転送する機能を提供する。
【００７８】
ダイナミックズームモード項目は、カーソル（または、ポインタ）が位置する地点の文字列を拡大するとともに、右から左に流れるように出力する機能を提供する。
【００７９】
一方、ステップＳ３０７での判断結果、制御機能がモード切り替えに設定された場合、現在のユーザ画面モードに適したモード切り替え機能を実行する。ここで、モード切り替えとは、現在出力されている画面の形態が既定の他の形態の画面に切り替えられることを意味する。例えば、画面上に現れているメニューが消えるメニュー隠しモードを含むことができる。
【００８０】
このようなメニュー隠しモードで動作する場合（Ｓ３１１）、モード切り替えの前にメニューが出力される地点にカーソルが位置するかを判断する（Ｓ３１３）。
【００８１】
カーソルが位置する場合、当該隠されたメニュー、つまり、モード切り替えの前に出力されたメニューを出力する（Ｓ３１５）。
【００８２】
図７〜図９は、イージープレス動作に応じた画面構成を示す。
【００８３】
まず、図７は、本発明の実施形態にかかるフルブラウジングサービスの実行中にイージープレスが動作する初期画面を示す。
【００８４】
図７を参照すると、ディスプレイ部１００は、カーソル（または、ポインタ）１０１が位置する地点でポインティングデバイス２００がユーザの指の押し動作を認識すると、イージープレスが駆動されることを知らせるアイコン１０３が現れる。ここで、アイコンは、「Ｐｒｅｓｓ」という文字と矢印形状に構成される。
【００８５】
図８は、本発明の実施形態にかかるフルブラウジングサービスの実行中にイージープレスが動作して、ポップアップメニューが現れた画面を示す。
【００８６】
図８を参照すると、ディスプレイ部１００は、図７のアイコン１０３が現れた後に追加メニュー項目１０５をポップアップする。追加メニュー項目１０５は、ローリングメニューおよび左右スウィーピングメニューで構成される。
【００８７】
ローリングメニューの場合、ユーザが指を上下に動かすと、スクロール機能が活性化され、順次メニューが活性化される。左右スウィーピングメニューの場合、ユーザが指を左右に動かすと、ズームインまたはズームアウトを実行するか、または音源ファイルが再生中であればボリュームの調節が行われる。
【００８８】
図９は、本発明の実施形態にかかるＶＯＤサービスの実行中にイージープレスが動作して、モード切り替えが実行された画面を示す。
【００８９】
図９を参照すると、映画ファイルの再生中にイージープレスが動作して、モードがメニュー隠しモードに切り替えられた場合を示す。
【００９０】
この時、イージープレスが動作する前には、画面の上側にはＶＯＤプログラムの制御に関するメニューが出力され、画面の右側にはファイルの再生に関するメニューが出力される。
【００９１】
イージープレスが動作する場合、メニュー隠しモードに切り替えられて、画面の上下側のメニューが消える。ここで、「メニュー隠し」は、メニューがＶＯＤ再生画面の外部領域に移動して画面から見えなくなる状態を含む。
【００９２】
この時、画面の上側にカーソル（または、ポインタ）１０１が近づくと、隠されたメニュー１０７ａが出力される。また、画面の右側にカーソル（または、ポインタ）１０１が近づくと、隠されたメニュー１０７ｂが出力される。
【００９３】
本発明の実施形態は、以上説明した装置および／または方法によってのみ実現されるのではなく、本発明の実施形態の構成に対応する機能を実現するためのプログラム、そのプログラムが記録された記録媒体などを介しても実現可能である。
【００９４】
以上、本発明の実施形態について詳細に説明したが、本発明の権利範囲はこれに限定されるものではなく、下記の請求の範囲で定義している本発明の基本概念を利用した当業者の様々な変形および改良形態も、本発明の権利範囲に属する。
【産業上の利用可能性】
【００９５】
本発明の一実施形態によれば、ポインティングデバイスを用いた単純な動作により、ユーザが利用しようとする機能のメニュー項目の検索が迅速かつ便利に行われるという効果がある。
【図１】
2012507777.tif 000005
【図２】
2012507777.tif 000006
【図３】
2012507777.tif 000007
【図４】
2012507777.tif 000008
【図５】
2012507777.tif 000009
【図６】
2012507777.tif 000010
【図７】
2012507777.tif 000011
【図８】
2012507777.tif 000012
【図９】
2012507777.tif 000013
【国際調査報告】
2012507777.tif 000014
2012507777.tif 000015
2012507777.tif 000016
2012507777.tif 000017
2012507777.tif 000018
2012507777.tif 000019